(57)【要約】【課題】クランパの位置決め精度を向上し、且つディスク装置の薄型化が可能なクランパを備えたディスク装置を提供する。【解決手段】ディスクをターンテーブルと共に挟持するクランパを備えたディスク装置において、前記ディスクを挟持する際に前記ターンテーブルの略中央部分に形成する凹部と嵌合する前記クランパ１の凸部１１の先端面から該凸部１１の外周面に向かって切り欠いた単数又は複数の略平面の傾斜面１２を形成する。前記凸部１１先端に直線部分を残した状態で傾斜面１２を形成することにより、該凸部１１を必要以上に長く形成することなく前記ターンテーブルに対する前記クランパ１の位置決め精度が向上でき、且つ前記クランパ１を備えたディスク装置の薄型化が可能となる。【選択図】図１
2007149280.tif 000002
【特許請求の範囲】
【請求項１】
ディスクの略中央部分を該ディスクの上下面方向より挟持するためのクランパとターンテーブルを備え、前記クランパは、略中央部分に略円柱状の凸部を形成し、前記ターンテーブルは、略中央部分に前記凸部が嵌合する凹部を形成したクランパを備えたディスク装置であって、前記凸部の先端面から該凸部の外周面に向かって切り欠いた単数又は複数の略平面の傾斜面が形成されていることを特徴とするクランパを備えたディスク装置。
【請求項２】
前記略平面の傾斜面は、前記凸部の前記凹部に対向する面に形成する直線部を弦とし、前記凸部の前記凹部に対向する面の中心を中心とする角が１８０度以下であることを特徴とする請求項１に記載のクランパを備えたディスク装置。
【発明の詳細な説明】
【技術分野】
【０００１】
本発明は、搬送手段によって装置内部に搬入されたディスクの略中央部分を該ディスクの上下面方向より挟持するためのクランパとターンテーブルとを備えたディスク装置に関し、特にディスクの上面側に位置するクランパの形状を部分的に変更することによってディスク装置の薄型化を図ると同時にターンテーブルとの嵌合状態における位置精度の向上を可能としたディスク装置に関する。
【背景技術】
【０００２】
従来、記憶媒体のディスクを装置内部に搬入して該ディスクより情報を読み込み再生する、或いは該ディスクに情報を書き込み記録するディスク装置として種々の形式がある。例えば、装置内部と装置外部との間で往復直線移動を可能とするトレイにディスクを載置して装置内部へと搬送するトレイ形式のディスク装置や、装置に設けた挿入口よりディスクを直接挿入することで内部の搬入機構が該ディスクを装置内部へと搬送するスロットイン形式のディスク装置、或いは開閉可能な蓋を開けることによってディスクの載置部分が現れる形式のディスク装置（一般的にポータブル形式のディスク装置に採用されている）等がある。このようにディスクを装置内部へと搬送するための手段は形式によって夫々異なるが、装置内部における記録或いは再生手段についてはほとんどが同じ構造となっている。即ち、装置内部の所定位置に搬入されたディスクの下面側(ディスクの記録面側)は回転可能なターンテーブルによって支持され、このターンテーブルと対向する位置に設けたクランパがディスクの上面側（ディスクのレーベル面側）を押圧することによってディスクの上下面をクランパとターンテーブルとによって挟持した状態とし、この状態からターンテーブルの回転に合わせてディスクが回転し、回転するディスクの記録面にピックアップユニットから照射されるレーザー光が当って該ディスクの記録或いは再生を行う構造としている。
【０００３】
ところで、ターンテーブルとクランパとは互いに凹部と凸部を略中央部分に形成しており、この凹部と凸部の嵌合によってターンテーブルとクランパの位置合わせを行っている。そして、従来はディスクを挟持する際において、ターンテーブルに形成した凹部にクランパの凸部が嵌合できない不具合が稀に生じていた。
【０００４】
凹部と凸部の嵌合ができないことでディスクが挟持できずに隙間が空いてしまうため、この状態でターンテーブルが回転してもディスクが滑った状態で回転しないことから、ディスクの記録或いは再生が行えない。そこで、クランパに形成する凸部の先端付近全周に亘って傾斜面を形成し、対向するターンテーブルの凹部にも全周に亘って傾斜面を形成することで、ターンテーブルとクランパとの位置に多少の誤差が生じても該ターンテーブル上に凸部が乗り上がる不具合を解消することができる。
【０００５】
【特許文献１】特開平７−６４６７号公報
【発明の開示】
【発明が解決しようとする課題】
【０００６】
しかし、クランパの凸部には傾斜面と共に凹部と位置決めをするための部分が必要となるため、実際には凸部の長さが傾斜面を形成する前に比べて長くなり、対向するターンテーブルの凹部の寸法においても深さを変更する必要が生じることとなる。図１１は、従来のクランパの凸部を示す三面図である。凸部先端の全周に亘り、傾斜面が形成されている。このような形状の場合、ターンテーブルの凹部との位置決めをするための部分の長さＨが必要であり、更に、これとは別に傾斜面を形成する部分としてｈが必要であるため、合計でＨ＋ｈの長さが必要になる。その結果、ディスクを挟持する位置が高くなり、その分クランパの取り付け位置が変更となってディスク装置の高さが大きくなることが懸念される。
【０００７】
本発明は上述した点に鑑み、ディスク装置の大型化を招くことなくディスクを挟持する際のクランパの位置決め精度を向上することを目的とする。
【課題を解決するための手段】
【０００８】
請求項１に記載のクランパを備えたディスク装置は、ディスクの略中央部分を該ディスクの上下面方向より挟持するためのクランパとターンテーブルを備え、前記クランパは、略中央部分に略円柱状の凸部を形成し、前記ターンテーブルは、略中央部分に前記凸部が嵌合する凹部を形成したクランパを備えたディスク装置であって、前記凸部の先端面から該凸部の外周面に向かって切り欠いた単数又は複数の略平面の傾斜面が形成されていることを特徴とする。
【０００９】
請求項１に記載のクランパを備えたディスク装置によれば、円柱部分だけでなく、傾斜面を形成した部分の一部においても凹部にかかる機能を有するため、凸部の長さを短くすることができる。
【００１０】
請求項２に記載のクランパを備えたディスク装置は、請求項１において、前記略平面の傾斜面は、前記凸部の前記凹部に対向する面に形成する直線部を弦とし、前記凸部の前記凹部に対向する面の中心を中心とする角が１８０度以下であることを特徴とする。
【００１１】
請求項２に記載のクランパを備えたディスク装置によれば、円柱部分だけでなく、傾斜面を形成した部分においても凹部にかかる機能を有するため、凸部の長さを短くすることができる。
【００１２】
図７は、傾斜面１２を角θが１８０度を越えないように形成した場合のクランパの凸部を示す三面図である。ここで、点Ａ及び点Ｂは、ターンテーブルに対向する面（傾斜面形成前は円形）に形成される弦の両端の点であり、点Ｏは、傾斜面１２が形成される前の円形面の中心点であり、角θは、点Ａ及び点Ｂを弦とし点Ｏを中心とする角ＡＯＢである。
【００１３】
凸部の長さとしては、ターンテーブルの凹部との位置決めをするための部分の長さＨが必要なだけである。これは、図８の断面図（図７において、ターンテーブルに対向する面に平行な面ＰＱによる断面）から分かるように、傾斜面が形成された区間（長さｈの区間）においては、角θ′＝Ａ′ＯＢ′は、常に角θ＜１８０度よりも小さいため、前記傾斜面を除く凸部の外径を用いて凹部との嵌合によるクランパの位置決めをすることができるからである。即ち、図１１に示す従来の凸部では、Ｈ＋ｈだけ必要であったが、図７のように傾斜面１２を形成すれば、凸部の長さを従来よりも短くすることができる。
【００１４】
図１０は、傾斜面１２を角θが１８０度を越えるように形成した場合のクランパの凸部を示す三面図である。ここで、点Ａ及び点Ｂは、ターンテーブルに対向する面（傾斜面形成前は円形）に形成される弦の両端の点であり、点Ｏは、傾斜面１２が形成される前の円形面の中心点であり、角θは、点Ａ及び点Ｂを弦とし点Ｏを中心とする角ＡＯＢである。
【００１５】
ターンテーブルの凹部との位置決めをするための部分の長さＨが必要であり、更に、Ｌ（＜ｈ）だけ必要である。これは、（ｈ−Ｌ）の部分は、位置決めに使用できるが、残りのｈの部分は、位置決めに使用できないからである。この場合も、図１１に示す従来の凸部よりも、凸部の長さを短くすることができる。
【００１６】
尚、ディスクを挟持するため、一般的にはターンテーブルの表面（クランパ側）に磁性体を取り付け、クランパの内部に磁石を取り付ける構造とすることでターンテーブルとクランパとを磁石の吸引力によって引き付け合う構造としている。逆に、磁石をターンテーブルに取り付け、磁性体をクランパに取り付ける構造としてもよく、本発明における挟持手段については特に限定しない。
【発明の効果】
【００１７】
本発明によれば、クランパの凸部に傾斜面を形成することで、嵌合できない不具合が解消された（即ち、位置決め精度が向上した）クランパを備えたディスク装置を提供することができる。更に、位置決め精度を向上しつつ、従来の凸部先端の全周に傾斜面を形成する場合に比較して、凸部の長さを短くでき、高さ方向の寸法の増加を抑えたクランパを備えたディスク装置を提供できる。更に、凸部の傾斜面が平面という単純な形状であるため、位置決め精度を向上し、又、高さ方向の寸法の増加を抑えた、クランパの形成の容易なクランパを備えたディスク装置を提供できる。
【発明を実施するための最良の形態】
【００１８】
本発明の実施の形態を、図面を参照して説明する。尚、以下の実施例は本発明の具体例に過ぎず、本発明が以下の実施形態に限定されるものではない。
【００１９】
装置内部に搬入されたディスクの上面側を所定位置において押圧するクランパは、ディスクを押圧するための押圧部を底面側に形成し、この押圧部の略中央付近には下方へ延出した凸部を形成する。又、クランパの上面側には外周方向へと延出した支持部と、中央付近に磁石を収納するための収納部とを形成する。図１はクランパ１を反転して底面側を示した斜視図であり、同図に示すように押圧部の中央部分には一段低い段差面（使用状態においては図１の状態から反転させてディスク装置の上方位置に取り付けるため、実際の表現では一段高い段差面となる）を形成し、この段差面の中央より凸部１１が延出している。
【００２０】
クランパ１の凸部１１の先端には部分的に傾斜面１２を形成する。図１では約３分の１程度の傾斜面１２を凸部１１の先端に形成している。本発明はこの形状に限定するものではなく、例えば凸部の半周以下の傾斜面を設けたり、又複数の傾斜面を設けたり、或いは断面視略三角形状の傾斜面としてもよい。
【００２１】
ターンテーブルの上面には、クランパ１の段差に嵌る傾斜状の突起部分と、この突起部分の外周方向に延出して形成するディスクの載置面と、突起部分の略中央に形成する貫通孔とがある。ターンテーブルの底面側よりスピンドルモータの軸部を嵌入することでターンテーブルの貫通孔一方側が塞がり、該ターンテーブルの上面側中央付近が凹部となる。
【００２２】
ターンテーブルの凹部上面側には全周に亘って傾斜面を形成する。又、ターンテーブルの突起部分にはクランパに収納する磁石との間で吸引力が働くようにするための磁性体を取り付ける。尚、ディスクを挟持するための手段として、磁石と磁性体との取り付け位置を逆にしてもよく（即ち、磁石をターンテーブルに取り付け、クランパに磁性体を取り付ける場合）、又磁石と磁性体による吸引力を利用する以外のディスクの挟持手段を設けてもよい。
【００２３】
図２はディスク装置４の上部にカバー部材２、クランパ１、及び天板３を取り付ける前の状態を示す斜視図であり、図３は前記各部材をディスク装置４に取り付けた後の状態を示す斜視図である。図２ではディスク装置４の上面を覆う大きさの天板３にクランパ１の取り付け開口部を形成しており、この開口部にクランパ１を載置した後、さらにその上面からカバー部材２を取り付ける構造としている。
【００２４】
本発明におけるクランパ１の取り付け構造についてはこれに限定するものではなく、たとえばディスク装置４の上面においてフレームと一体に水平な支持部を形成し、この支持部に対してクランパにフックなどを形成して係合する構造としてもよい。又、図２及び図３に示すディスク装置４においては装置内部と装置外部との間で往復直線移動を可能とするトレイを備えたディスク装置を示しているが、本発明はトレイ形式のディスク装置のみに限定するものではなく、例えばディスクを直接挿入するための挿入口を装置に設けたスロットイン形式のディスク装置や、開閉可能な蓋を備えたディスク装置など、装置内部においてターンテーブルと共にディスクを挟持するためのクランパを備えたディスク装置全般において適応可能である。
【００２５】
図６はディスク装置の内部に搬入されたディスクをターンテーブルとクランパとによって挟持する状態を示す概念的な図であり、図６（ａ）はディスクを挟持する前の状態を示す側面側断面図、図６（ｂ）はディスクを挟持した後の状態を示す側面側断面図である。尚、図６（ａ）ではクランパ１の凸部１１がターンテーブル６の上面に乗りあがる状況を誇張して示しており、同図に示す状態から前記凸部１１の先端に形成した傾斜面１２によって前記ターンテーブル６の凹部上面側の全周に亘って形成された傾斜面に沿って前記凹部へと移動し、図６（ｂ）に示すように前記クランパ１と前記ターンテーブル６とによってディスク５を挟持することが可能となる。
【００２６】
以上述べたように、本発明では、クランパの凸部に傾斜面を形成することで、嵌合できない不具合が解消された（即ち、位置決め精度が向上した）クランパを備えたディスク装置を提供することができる。更に、位置決め精度を向上しつつ、従来の凸部先端の全周に傾斜面を形成する場合に比較して、凸部の長さを短くでき、高さ方向の寸法の増加を抑えたクランパを備えたディスク装置を提供できる。更に、凸部の傾斜面が平面という単純な形状であるため、位置決め精度を向上し、又、高さ方向の寸法の増加を抑えた、クランパの形成の容易なクランパを備えたディスク装置を提供できる。
【００２７】
尚、クランパの凸部において、傾斜面は複数形成しても良い。図４は、クランパ１の凸部１１に２つの傾斜面１２を形成した場合の斜視図であり、図９は、この場合の三面図である。又、図５は、クランパ１の凸部１１に３つの傾斜面１２を形成した場合の斜視図、平面図、及び断面図である。このように複数の傾斜面を形成した場合も、上述の場合（傾斜面が１つだけ形成される場合）と同様の効果が得られることは、明らかである。
【図面の簡単な説明】
【００２８】
【図１】本発明の実施例におけるクランパの底面側を示す斜視図である。
【図２】同上、クランパを取り付ける前のディスク装置を示す斜視図である。
【図３】同上、クランパを取り付けたディスク装置を示す斜視図である。
【図４】本発明の別の実施例におけるクランパの底面側を示す斜視図である。
【図５】本発明の更に別の実施例におけるクランパの底面側を示す斜視図、底面側を示す平面図、及び断面図である。
【図６】本発明の実施例におけるディスクをターンテーブルとクランパとによって挟持する状態を示す図であり、図６（ａ）はディスクを挟持する前の状態を示す側面側断面図、図６（ｂ）はディスクを挟持した後の状態を示す側面側断面図である。
【図７】図１におけるクランパの凸部を示す三面図である。
【図８】図１におけるクランパの凸部のＰ−Ｑ断面図である。
【図９】図４におけるクランパの凸部を示す三面図である。
【図１０】図５におけるクランパの凸部を示す三面図である。
【図１１】従来のクランパの凸部を示す三面図である。
【符号の説明】
【００２９】
１  クランパ
２  カバー部材
３  天板
４  ディスク装置
５  ディスク
６  ターンテーブル
１１  凸部
１２  傾斜面
【図１】
2007149280.tif 000003
【図２】
2007149280.tif 000004
【図３】
2007149280.tif 000005
【図４】
2007149280.tif 000006
【図５】
2007149280.tif 000007
【図６】
2007149280.tif 000008
【図７】
2007149280.tif 000009
【図８】
2007149280.tif 000010
【図９】
2007149280.tif 000011
【図１０】
2007149280.tif 000012
【図１１】
2007149280.tif 000013